(57)【要約】【課題】例えば住宅やオフィス等の室内空間を間仕切パネルや引戸等の間仕切材によって所望の大きさ形状の部屋や空間に仕切る場合などに適用する間仕切構造、特に床側の間仕切用床構造に係り、上記間仕切材を取外したり移動した場合にも床側のレール部材が床材の上面から突出したり、室内の体裁を損ねるのを防止する。【解決手段】室Ｓ内の天井と床との間に間仕切パネルや引戸等の間仕切材２をランナーや案内レールなどのレール部材３，４に沿って建て込むことによって室内を複数の部屋や空間に仕切る間仕切構造において、間仕切材２を建て込む床側のレール部材４を、室Ｓ内の隣り合う床材１・１間の床面Ｆ上に着脱自在に且つ上下反転可能に設け、レール部材４の裏面に床材１と同材質の表装材４１を一体的に設けると共に、その表装材４１を含めたレール部材４の厚さ寸法を床材１の厚さ寸法と略同等に形成したことを特徴とする。【選択図】  図２
2009041240.tif 000002
【特許請求の範囲】
【請求項１】
室内の天井と床との間に間仕切パネルや引戸等の間仕切材をランナーや案内レールなどのレール部材に沿って建て込むことによって上記室内を複数の部屋や空間に仕切る際の間仕切用床構造において、
上記間仕切材を建て込む床側のレール部材を、上記室内の隣り合う床材間の床面上に着脱自在に且つ上下反転可能に設け、上記レール部材の裏面に上記床材と同材質の表装材を一体的に設けると共に、その表装材を含めた上記レール部材の厚さ寸法を上記床材の厚さ寸法と略同等に形成したことを特徴とする間仕切用床構造。
【請求項２】
上記床材として木製のフローリング材を用い、それと同材質のフローリング材よりなる表装材を、上記床側のレール部材の裏面に一体的に設けてなる請求項１に記載の間仕切用床構造。
【請求項３】
上記床側のレール部材と表装材とを、上記いずれかの床材と入れ替えることによって上記間仕切材による間仕切位置を変更するようにした請求項１または２に記載の間仕切用床構造。
【請求項４】
上記床側のレール部材と表装材とを、複数箇所の間仕切位置に設置して、そのいずれかの間仕切位置にあるレール部材に間仕切材を選択的に建て込むようにした請求項１または２に記載の間仕切用床構造。
【発明の詳細な説明】
【技術分野】
【０００１】
本発明は例えば住宅やオフィス等の室内空間を間仕切パネルや引戸等の間仕切材によって所望の大きさ形状の部屋や空間に仕切る場合などに適用する間仕切構造、特に下側（床側）の間仕切用床構造に関する。
【背景技術】
【０００２】
従来、住宅やオフィス等の室内空間を間仕切パネルや引戸等の間仕切材によって所望の大きさ形状の部屋や空間に仕切る場合の間仕切構造としては、例えば下記特許文献１〜３のように種々提案されている。この場合、上記間仕切パネルや引戸等の間仕切材は、通常室内の床側と天井側とに対向させて設けたランナーや案内レール等のレール部材に沿って建て込むのが一般的である。
【０００３】
【特許文献１】特開平１０−２６６４２６号公報
【特許文献２】特許第２８４７４９２号公報
【特許文献３】特許２００２−２６６５６１号公報
【発明の開示】
【発明が解決しようとする課題】
【０００４】
ところが、例えば室内の模様替え等で間仕切材を撤去したり、間仕切位置を移動もしくは変更するために、間仕切材をレール部材から取外すと、該レール部材が室内に露呈して外観体裁を損ねる等のおそれがある。特に、床側のレール部材は、目立つため室内の雰囲気や体裁を損ねるだけでなく、レール部材が床材よりも上方に大きく突出している場合には、室内を歩くときに足を引っ掛けたり、車椅子で移動する際の障害となって、いわゆるバリアフリー化の妨げとなる等の不具合がある。
【０００５】
そこで、上記のように間仕切材を取外したときには、少なくとも床側のレール部材も一緒に取外すことが考えられるが、上記レール部材が敷居と一体もしくは一体的に設けられている場合には取外しが困難であり、また上記レール部材を床材上にねじ等で取付けたものは、レール部材を取外すとねじによる取付け痕が残って外観体裁を損ねたり、外したレール部材が紛失する等のおそれがある。
【０００６】
また、床側のレール部材が上方に突出しないように、床面上に敷設される床材と同一高さに形成して、隣り合う床材間に介在させることが考えられるが、上記レール部材の上面には、通常間仕切パネルや引戸等の間仕切材を係合したり案内する凹溝や突条等が設けられているので、依然として凹凸が残る。しかも上記レール部材と床材とは通常材質が大きく異なるので、そのような材質の異なるレール部材が、間仕切材を外した後も室内の中央部付近に残るのは違和感があり、１つの部屋としての一体感を損ねるおそれがある。
【０００７】
本発明は上記の問題点に鑑みて提案されたもので、室内の模様替え等で間仕切パネルや引戸等の間仕切材を取外した場合にも、床側のレール部材が床面から突出したり、ねじ等による取付け痕が残ることなく、また室内の体裁を損ねることのない間仕切構造を容易・安価に提供することを目的とする。
【課題を解決するための手段】
【０００８】
上記の目的を達成するために本発明による間仕切構造は以下の構成としたものである。すなわち、室内の天井と床との間に間仕切パネルや引戸等の間仕切材をランナーや案内レールなどのレール部材に沿って建て込むことによって上記室内を複数の部屋や空間に仕切る間仕切構造において、上記間仕切材を建て込む床側のレール部材を、上記室内の隣り合う床材間の床面上に着脱自在に且つ上下反転可能に設け、上記レール部材の裏面に上記床材と同材質の表装材を一体的に設けると共に、その表装材を含めた上記レール部材の厚さ寸法を上記床材の厚さ寸法と略同等に形成したことを特徴とする。
【発明の効果】
【０００９】
上記のように間仕切材を建て込む床側のレール部材を、室内の隣り合う床材間に着脱自在に且つ上下反転可能に設け、そのレール部材の裏面に上記室内の床材と同材質の表装材を一体的に設けたことよって、例えば室内の模様替え等で間仕切材を取外した場合には、上記レール部材を上下反転して床材と同材質の表装材が上になるようにすれば、前記従来のように床材とは異なる材質のレール部材や表面に溝や突条等の凹凸を有するレール部材が室内に露呈して室内の雰囲気や体裁を損ねるのを防ぐことができる。
【００１０】
また上記表装材を含めたレール部材の厚さ寸法を、床材の厚さ寸法と略同等に形成したことによって、上記表装材やレール部材が床材よりも上方に突出するのを防ぐことができる。その結果、前記従来のようにレール部材が床材よりも上方に突出して、室内を歩くときに足を引っ掛けたり、車椅子で移動する際の障害となるのを防ぐことが可能となり、バリアフリー化を促進できる等の効果が得られる。
【発明を実施するための最良の形態】
【００１１】
以下、本発明を図に示す実施形態に基づいて具体的に説明する。図１は本発明による間仕切構造を適用した室の平面図、図２は図１におけるＡ−Ａ拡大縦断面図、図３は床側のレール部材と床材の拡大縦断面図、図４は床側のレール部材と床材の斜視図である。
【００１２】
本実施形態の間仕切構造は、図１および図２に示すように床面（床下地面）Ｆに床材１として木製のフローリング材を敷設してなる平面略長方形状の室Ｓ内を、複数枚の引戸よりなる間仕切材２によって所定大きさ形状の部屋Ｓ１・Ｓ２に仕切るようにしたもので、上記間仕切材２は天井側と床側とに設けたレール部材３・４間に建て込んだ構成である。
【００１３】
上記天井側のレール部材３は、本実施形態においては長尺の金属製の型材等によって下面側に複数個（図の場合は３つ）の凹溝条３ａを有する下向き樋状に形成され、その各凹溝条３ａに、上記複数枚の引戸よりなる間仕切材２の上部を、それぞれ図２で前後方向に摺動可能に係合保持させた構成である。上記レール部材３は、図の場合は天井面（天井下地面）Ｃに間隔保持部材５等を介して取付けた構成であるが、天井面Ｃに直接取付けてもよく、或いは天井面Ｃから垂下させた支持フレームや垂れ壁もしくは吊り天井等を介して取付けることもできる。
【００１４】
一方、床側のレール部材４は、本実施形態においては合成樹脂等で形成した所定厚さの長尺の板材の上面に、その長手方向に延びる複数本（図の場合は３本）の凹溝条４ａを形成し、その各凹溝条４ａに係合するローラ６を介して前記複数枚の引戸よりなる間仕切材２を、それぞれ図２で前後方向に移動可能に構成したものである。上記ローラ６は、各間仕切材２の下端部に横軸６ａで回転自由に設けられている。なお、上記ローラ６の代わりに各間仕切材２の下端部に係合突起等を設けて、その各係合突起等を上記各凹溝条４ａに摺動可能に係合させるようにしてもよい。
【００１５】
上記レール部材４は、床面Ｆに敷設した隣り合う床材１・１間に介在させると共に、そのレール部材４の裏面側（図２で下面側）に上記床材１と同材質の表装材４１を一体的に設けたもので、本実施形態においては上記床材１として前述のように木製のフローリング材が用いられ、そのフローリング材と同材質の木製の表装材４１が上記レール部材４の裏面側に積層された状態で接着材等により一体的に固着されている。なお、上記表装材４１の表面（レール部材４と反対側の面）には、上記フローリング材と同様にラッカー等による表面仕上加工が施されている。
【００１６】
上記レール部材４と表装材４１とを合わせた厚さ寸法は、上記フローリング材よりなる床材１の厚さ寸法と略同等に形成され、そのレール部材４と表装材４１とは、隣り合う床材１・１間の床面Ｆ上に着脱自在に且つ上下反転可能に設けられている。なお、上記レール部材４と表装材４１を上下に若しくは上下反転して設置する際に床面Ｆと接する部材と床面Ｆとの間には、必要に応じてずれ止め用の易剥離性接着材やクッション材を介在させるようにしてもよい。
【００１７】
上記の構成において、前記図３のように間仕切材２を建て込んだ状態においてはレール部材４が上向きの状態（レール部材４が表装材４１の上側に位置する状態）にあり、その状態から例えば前記室Ｓ内の模様替え等で図４のように間仕切材２を取外してレール部材４が不使用状態になった場合には、図５（ａ）の鎖線示のように隣接する床材１・１間の床面Ｆからレール部材４と表装材４１とを上方に引き上げた後、同図（ｂ）の鎖線示のようにレール部材４と表装材４１とを上下反転してレール部材４が下向きになるようにして図の実線示のように再び床材１・１間の床面Ｆ上に載置すればよい。それによって図６のようにレール部材４の上部が床材１と同材質の表装材４１（本実施形態においては床材１と同材質のフローリング材）で覆われた状態となり、前記従来のように床材１とは異なる材質のレール部材４もしくは表面に凹溝条４ａ等の凹凸を有するレール部材４が室内に露呈して室内の雰囲気や体裁を損ねるのを防ぐことができる。
【００１８】
また上記表装材４１を含めたレール部材４の厚さ寸法を、床材１の厚さ寸法と略同等に形成したことによって、上記表装材４１やレール部材４が床材１よりも上方に突出するのを防ぐことができる。その結果、前記従来のようにレール部材が床材よりも上方に突出して、室内を歩くときに足を引っ掛けたり、車椅子で移動する際の障害となることがなく、バリアフリー化を促進することが可能となる。
【００１９】
なお、前記のように間仕切材２を取外した際、天井側のレール部材３は、床側のレール部材４に比べて室内の雰囲気や体裁を損ねたり邪魔になるおそれが少ないので、そのまま設置した状態にしてもよく、また必要に応じて脱着もしくは移動可能に構成することもできる。さらに天井側のレール部材３の構成は、前記実施形態に限らず、間仕切材２を建て込んだとき、それが倒れないように支持し得るものであれば、各種構成のものが適用可能である。
【００２０】
また前記のように床側のレール部材４を脱着自在に構成したことによって、上記間仕切材２やレール部材４等による間仕切位置を容易に移動もしくは変更することもできる。図７はその一例を示すもので、同図（ａ）は図１におけるレール部材４が図の実線位置Ｐ１にあるときのＢ−Ｂ拡大断面図、図７（ｂ）は上記レール部材４が図１の鎖線位置Ｐ２にあるときのＢ−Ｂ拡大断面図である。
【００２１】
この場合、例えば図７（ａ）におけるレール部材４および表装材４１と、床材１Ｃのみを入れ替えてもよいが、図示例のように床材１に、さねはぎ（実矧ぎ）用の突起（さね）１ａ等がある場合には、図７（ａ）における床材１Ｂの突起１ａを切除しなけれえばならないので、少なくとも上記レール部材４に隣接する突起１ａのない床材１Ａ（この床材１Ａの突起１ａは予め切除されている）をも含めて入れ替えるようするとよい。例えば図７（ａ）における上記床材１Ａとレール部材４および表装材４１と、床材１Ｂおよび１Ｃとを入れ替えると図７（ｂ）のようになり、レール部材４の配置位置すなわち間仕切位置を容易に移動することができる。図中、１ｂは上記さねはぎ用の突起１ａが係合する係合溝である。
【００２２】
なお、上記のように床材１Ａとレール部材４および表装材４１を入れ替えるだけでなく、更にそれらに隣接する他の床材をも含めて入れ替えることもできる。また上記さねはぎ用の突起１ａに限らず、相じゃくり結合用の突起や、その他の突部が床材１の側面にある場合も同様である。
【００２３】
上記のようにして床側のレール部材４の配置位置を移動した際には、それに合わせて、その直上位置に天井側のレール部材３を対向配置するもので、その手段等は適宜であるが、例えば元の床側のレール部材４の直上位置にあった天井側のレール部材３を、上記の移動したレール部材４の直上位置に移動させてもよく、或いは別のレール部材３を設置してもよい。そして、上下に対向させて配置したレール部材３・４間に前記と同様の間仕切材２を建て込むことによって間仕切位置を容易に変更することができるものである。
【００２４】
なお、上記図７は間仕切位置を変更するために元の位置にあったレール部材４を変更位置に移動させるようにしたが、元の位置にあったレール部材４はそのままにして、変更位置には新たなレール部材４を設置するようにしてもよい。その場合、元の位置にあったレール部材４は上下反転して表装材４１が上になるようにすると、外観体裁よく構成することができる。
【００２５】
また、上記レール部材４を予め複数箇所の間仕切位置に設置しておいて、そのいずれか（１つまたは複数もしくは全部）の間仕切位置にあるレール部材４に間仕切材を選択的に建て込むようにしてもよい。その際、間仕切材を建て込むレール部材４は上向きにして、そのレール部材４の凹溝条４ａ等に間仕切材を建て込み、それ以外のレール部材４は下向きにして表装材４１が上になるように配置すればよい。
【００２６】
図８はその一例を示すもので、本例は上記レール部材４を前記図１の実線位置Ｐ１と、鎖線位置Ｐ２との２つの間仕切位置にそれぞれ設けたものである。図８（ａ）は上記実線位置Ｐ１に間仕切材２を建て込んだ状態の図１におけるＢ−Ｂ断面図、図８（ｂ）は上記鎖線位置Ｐ２に間仕切材２を建て込んだ状態の同上図である。いずれも間仕切材２を建て込んだレール部材４は上向きの状態にあり、間仕切材２を建て込んでないレール部材４は下向きで表装材４１が上部に露出した状態にある。それによって、使用していないレール部材４が外部に露出して前記のような不具合が生じるのを防ぐことができるものである。
【００２７】
なお、上記図８の例においても天井側のレール部材３は、間仕切材２を建て込んだ位置にのみ設けるか、もしくは上記複数箇所の全ての間仕切位置に設けるようにしてもよい。或いは上記複数箇所の間仕切位置に選択的に移動できるように構成する等その他適宜である。
【００２８】
上記各実施形態は、床材１として木製のフローリング材を用いたが、これに限らず例えばコルクその他のフローリング材や、繊維製その他の床マット、若しくは畳等を使用することも可能であり、そのいずれの場合にも、上記床材１と同材質もしくはほぼ同材質の表装材４１をレール部材４の裏面側に一体的に設ければよい。図９はその一例を示すもので、表面（上面）にパイル状の繊維１２ａを有する繊維マット状の床材１２と同材質もしくはほぼ同材質の表装材４２をレール部材４の裏面側に一体的に設けたものである。その表装材４２の表面（レール部材４と反対側の面）にもパイル状の繊維４２ａが設けられている。
【００２９】
上記の構成においも、天井側のレール部材３は前記と同様に構成し、そのレール部材３と上記レール部材４とに間仕切材２を建て込む際には、図９（ａ）のようにレール部材４を上向きに配置して上記間仕切材２を前記図２と同様に建て込めばよい。また上記間仕切材２を取外したり移動して上記レール部材４が不要な場合には、図９（ｂ）のように上記レール部材４と表装材４２とを上下反転して表装材４２が上向きになるようにすれば、それらの表面全面をパイル状の繊維１２ａ・４２ａで覆うことができるものである。
【産業上の利用可能性】
【００３０】
以上のように、本発明による間仕切構造は、例えば室内の模様替え等で間仕切材を取外したり移動した際に、床側のレール部材を上下反転して床材と同材質の表装材が上になるようにすることで、上記レール部材が室内に露呈して室内の雰囲気や体裁を損ねるのを防ぐことができると共に、上記表装材を含めたレール部材の厚さ寸法を、床材の厚さ寸法と略同等に形成したことによって、上記表装材やレール部材が床材よりも上方に突出するのを防ぐことができる。その結果、室内を歩くときに上記突出部に足を引っ掛けたり、上記突出部が車椅子で移動する際の障害となってバリアフリー化を損ねるのを防止することができると共に、各種室内を所望の大きさ形状に容易かつ体裁よく間仕切りしたり拡張することが可能となるもので、この種の間仕切構造の設計の自由度や産業上の利用可能性を増大させることができる。
【図面の簡単な説明】
【００３１】
【図１】本発明による間仕切構造を適用した室の平面図。
【図２】図１におけるＡ−Ａ拡大縦断縁図。
【図３】床側のレール部材と床材の拡大縦断面図。
【図４】床側のレール部材と床材の斜視図。
【図５】床側のレール部材と表装材とを上下反転する状態の説明図。
【図６】床側のレール部材と表装材とを上下反転した状態の斜視図。
【図７】床側のレール部材の配置位置を変更する状態の説明図。
【図８】床側のレール部材を複数箇所の間仕切位置に配置した例の説明図。
【図９】床側のレール部材と床材の他の構成例を示す縦断面図。
【符号の説明】
【００３２】
Ｓ  室
Ｓ１、Ｓ２  部屋
Ｃ  天井面
Ｆ  床面
１  床材
２  間仕切材
３、４  レール部材
３ａ、４ａ  凹溝条
５  間隔保持部材
６  ローラ
６ａ  横軸
【図１】
2009041240.tif 000003
【図２】
2009041240.tif 000004
【図３】
2009041240.tif 000005
【図４】
2009041240.tif 000006
【図５】
2009041240.tif 000007
【図６】
2009041240.tif 000008
【図７】
2009041240.tif 000009
【図８】
2009041240.tif 000010
【図９】
2009041240.tif 000011